(57)【要約】微調整される取り付け可能なケーブルタイであって、第１のストラップ端及び第２のストラップ端を有する細長いストラップであって、細長いストラップ上に横方向に形成される１つ又は複数の列の歯又は横棒、及び、１つ又は複数の列の歯の間で中線に沿って直線的に位置決めされる複数の穴を有する細長いストラップ、および第２のストラップ端に近接して位置決めされる少なくとも１つのロック用バックルであって、ロック用バックル内に位置決めされる少なくとも１つのチャネル及び少なくとも１つのロック用舌部又は爪を有する、少なくとも１つのロック用バックルを有し、第１のストラップ端のロック用ヘッド内への挿入を増大させると、束を固定するための細長いストラップのループのサイズが低下する、取り付け可能なケーブルタイ。【選択図】図１．２
2015532245.tif 000002
【特許請求の範囲】
【請求項１】
１つ又は複数の細長い部材を束にするとともに該束にした部材を物体に固着させるケーブルタイであって：
第１のストラップ端及び第２のストラップ端を有して構成されるストラップであって、前記ストラップは、該ストラップの長さに沿って延びる１つ又は複数の列の横棒を有して構成され、前記ストラップは、貫通する１つ又は複数の長手方向に離間した孔を有して構成され、前記孔は、前記横棒に近接して位置決めされる、ストラップ；
前記第２のストラップ端に近接して位置決めされるロック用バックルであって、前記ロック用バックルは、貫通するチャネルを有して構成され、前記チャネルは、前記第１のストラップ端の前記横棒の列のうちの個々に関連する横棒に対面するように内部に並んで位置決めされる１つ又は複数の爪を有して構成される、ロック用バックル
を備える、ケーブルタイ。
【請求項２】
前記ストラップは、概ね前記第１のストラップ端から前記第２のストラップ端まで延在するように構成されている１つ又は複数のレールを更に含む、請求項１に記載のケーブルタイ。
【請求項３】
前記１つ又は複数のレール及び前記チャネルは、前記ストラップの通過を受け入れるように構成されている、請求項２に記載のケーブルタイ。
【請求項４】
前記１つ又は複数の列の横棒は、前記ストラップ上に横方向に位置決めされる、請求項１に記載のケーブルタイ。
【請求項５】
前記１つ又は複数の列の横棒は、前記ストラップ上に互いに平行に位置決めされる、請求項１に記載のケーブルタイ。
【請求項６】
前記ストラップは、ストラップ上面及びストラップ下面を更に含む、請求項１に記載のケーブルタイ。
【請求項７】
前記１つ又は複数の列の横棒は、前記ストラップ上面及び前記ストラップ下面に位置決めされる、請求項６に記載のケーブルタイ。
【請求項８】
前記孔は、前記１つ又は複数の列の横棒の間に位置決めされる、請求項１に記載のケーブルタイ。
【請求項９】
前記１つ又は複数の爪は、対向する爪の１つ又は複数のセットを更に含む、請求項７に記載のケーブルタイ。
【請求項１０】
前記対向する爪の１つ又は複数のセットは、前記第１のストラップの面及び前記第２のストラップの面に位置決めされる前記１つ又は複数の列の横棒のうちの個々に関連する横棒に対面するように位置決めされる、請求項９に記載のケーブルタイ。
【請求項１１】
前記チャネルは、前記第２のストラップ端に蝶着される舌部を更に含み、それによって、前記１つ又は複数の爪の各爪は、前記横棒の列のうちのその個々に関連する１つの横棒にわたって歯止めをかける、請求項１に記載のケーブルタイ。
【請求項１２】
前記第２のストラップ端に蝶着される前記舌部は、並んで位置決めされる前記１つ又は複数の爪を受け入れるように構成されている、請求項１１に記載のケーブルタイ。
【請求項１３】
前記横棒の列のうちの前記個々に関連する１つの横棒は、第１の立上り部及び第１の爪受けを更に含む、請求項１２に記載のケーブルタイ。
【請求項１４】
前記ロック用バックルは、貫通する前記チャネルを有して構成されており、前記チャネルは、前記第２のストラップ端に対して概ね垂直であるように更に構成されている、請求項１に記載のケーブルタイ。
【請求項１５】
前記ロック用バックルは、貫通する前記チャネルを有して構成されており、前記チャネルは、前記第２のストラップ端に対して概ね平行であるように更に構成されている、請求項１に記載のケーブルタイ。
【請求項１６】
前記第１のストラップ端は、前記ロック用バックルの前記チャネルを通して挿入されるように構成されている、請求項１に記載のケーブルタイ。
【請求項１７】
前記１つ又は複数の爪は、前記ストラップの前記１つ又は複数の列の横棒に係合するように構成されている、請求項１に記載のケーブルタイ。
【請求項１８】
前記第１のストラップ端は、前記１つ又は複数の細長い部材を包囲するように構成されている、請求項１に記載のケーブルタイ。
【請求項１９】
前記第１のストラップ端は、前記ロック用バックルの前記チャネルを通して挿入される、請求項１に記載のケーブルタイ。
【請求項２０】
前記１つ又は複数の爪は、前記ストラップの前記１つ又は複数の列の横棒に係合して前記１つ又は複数の細長い部材を固定するように構成されている、請求項１に記載のケーブルタイ。
【請求項２１】
前記１つ又は複数の列の横棒の各横棒は、立上り部及び爪受けを更に含む、請求項１に記載のケーブルタイ。
【請求項２２】
前記束にした部材の前記ストラップを前記物体に固着させるように構成されている取着機構を更に含む、請求項２０に記載のケーブルタイ。
【請求項２３】
前記舌部及び並んで位置決めされる前記１つ又は複数の爪を回動させて前記ストラップを前記ロック用バックルから解放するように構成されているレバーを更に備える、請求項１２に記載のケーブルタイ。
【請求項２４】
１つ又は複数の細長い部材を物体の穴に対して束にする方法であって：
ケーブルタイを準備するステップであって、前記ケーブルタイは、第１のストラップ端及び第２のストラップ端を有して構成されるストラップであって、前記ストラップは、該ストラップの長さに沿って延びる１つ又は複数の列の横棒を有して構成され、前記ストラップは、貫通する１つ又は複数の長手方向に離間した孔を有して構成され、前記孔は、前記横棒に近接して位置決めされる、ストラップ、前記第２のストラップ端に近接して位置決めされるロック用バックルであって、前記ロック用バックルは、貫通するチャネルを有して構成され、前記チャネルは、前記第１のストラップ端の前記横棒の列のうちの個々に関連する横棒に対面するように内部に並んで位置決めされる１つ又は複数の爪を有して構成される、ロック用バックルを備える、ケーブルタイを準備するステップ；
前記１つ又は複数の細長い部材の周りを前記第１のストラップ端で包囲するステップ；
前記第１のストラップ端を前記ロック用バックルの前記チャネル内に挿入するステップ；
前記第１のストラップ端を、前記チャネルを通して引っ張るステップ；並びに
前記ストラップ上に形成される前記１つ又は複数の列の横棒に、前記１つ又は複数の爪にわたって歯止めをかけさせ、前記細長い部材を束で一緒に固定するステップ
を含む、方法。
【請求項２５】
前記ストラップの前記１つ又は複数の孔を前記物体の前記穴に近接して位置合わせするステップを更に含む、請求項２４に記載の方法。
【請求項２６】
前記ストラップの前記１つ又は複数の孔を通して少なくとも１つの取着機構を挿入するステップを更に含む、請求項２５に記載の方法。
【請求項２７】
前記少なくとも１つの取着機構を前記物体の前記穴に固着させるステップを更に含む、請求項２６に記載の方法。
【請求項２８】
２つ以上の前記ケーブルタイを使用して前記１つ又は複数の細長い部材の延在部を前記物体に固定するステップを更に含む、請求項２７に記載の方法。
【発明の詳細な説明】
【技術分野】
【０００１】
関連出願の相互参照
本願は、「Ｍｏｕｎｔａｂｌｅ  Ｃａｂｌｅ  Ｔｉｅ  ｗｉｔｈ  Ｆｉｎｅ  Ａｄｊｕｓｔｍｅｎｔ  ａｎｄ  Ｍｅｔｈｏｄ  ｏｆ  Ｕｓｅ  Ｔｈｅｒｅｏｆ」と題する、２０１２年９月２７日に出願された米国非仮特許出願第１３／６２８，４７０号に対する利益を主張するものであり、当該出願は参照により本明細書に援用される。
【０００２】
本開示は、包括的には結束タイに関し、より詳細には、ケーブルタイであって、タイを固着又は締結するために複数の穴を有するストラップを有する、ケーブルタイに関する。
【背景技術】
【０００３】
種々の支持ケーブルタイ、ストラップ及び締め具が当該技術分野において既知であり、ケーブル、ワイヤ又は油圧管の束を固定するといった種々の用途で用いられている。従来の構成の既知のケーブルタイは、一端にヘッドを有し、他端に尾部を有する可撓性の長手方向ストラップを有する細長い部材である。ストラップは、ワイヤ又は油圧管の束の周りに巻き付けられ、尾部は、ヘッド内の通路を通して挿入される。ケーブルタイのヘッドは通常、ストラップに係合するロック要素を含み、それによって、尾部がヘッド内の通路を通して引っ張られると、ロック要素は、ストラップの幅を延在する横断方向の歯に対して固定される。
【０００４】
他の既知のケーブルタイは、複数の長手方向に離間した孔、穴又は段を有する長手方向ストラップを有するタイであり、複数の長手方向に離間した孔、穴又は段は、ストラップをケーブル又はワイヤ又は油圧管の束の周りに巻き付けるとともに、１つ又は複数の離間した孔又は穴を、ストラップの一端に位置決めされるフック又は分岐部に固定することによってその束を固定するように使用される。この形のケーブルタイに関連する１つの問題は、このケーブルタイが、穴の間のその一定の間隔に起因して、幾つかの異なるサイズのワイヤ又は油圧管の束を締め付けるとともに固定するために少しずつ増分する調整が可能ではないことである。
【０００５】
更に他の既知のケーブルタイは、細長いストラップ、及び、取り付け穴が固着されるか又は一体的に作られるヘッドを有するタイである。取り付け穴は、ケーブルタイ及びワイヤ又は油圧管のその束を取り付け面に固定するために使用される。この形のケーブルタイに関連する１つの問題は、取り付け機構（穴）がヘッド付近に位置決めされ、これによって、細長いストラップをヘッドに差し込んでストラップをワイヤ又は油圧管の束の周りで締め付けるアクセス性が制限されることである。
【発明の概要】
【発明が解決しようとする課題】
【０００６】
したがって、微調整される取り付け可能なケーブルタイ、並びに、ケーブルタイに、ストラップをヘッドに差し込んでストラップを束の周りで締め付けるアクセス性を制限することなく選択される複数の取り付け穴、及び、ストラップを締め付けるために少しずつ増分する調整を提供するように複数の歯又は横棒が形成される可撓性の長手方向ストラップを提供するように機能するその使用方法に対する、はっきりとした、満たされていない必要性があることが容易に明らかである。
【０００７】
簡潔に述べると、例示的な実施形態では、本発明の装置及び方法は、上述の不都合点を克服し、微調整される取り付け可能なケーブルタイ及びその使用方法であって、概して、第１のストラップ端及び第２のストラップ端を有する細長いストラップであって、細長いストラップ上に横方向に形成される１つ又は複数の列の歯又は横棒、及び、１つ又は複数の列の歯の間に中線に沿って直線的に位置決めされる複数の穴を有する、細長いストラップ、第２のストラップ端に近接して位置決めされる少なくとも１つのロック用バックルであって、ロック用バックル内に位置決めされる少なくとも１つのチャネル及び少なくとも１つのロック用舌部又は爪を有する、少なくとも１つのロック用バックルを備え、第１のストラップ端のロック用ヘッド内への挿入を増大させると、束を固定するための細長いストラップのループのサイズが低下する、微調整される取り付け可能なケーブルタイ及びその使用方法に対する認識されている必要性を満たす。
【課題を解決するための手段】
【０００８】
使用時に、ねじ、釘又はクリップ等の締結具が、細長いストラップに沿って直線的に延在する複数の穴のうちの１つの内部に位置決めされ、細長いストラップを表面に固定し、一方で、細長いストラップの或るセクション及びロック用バックルを、第１のストラップ端をロック用バックル内に差し込むためのアクセス性を提供するように自由なままにする。細長いストラップは少なくとも１つのロック用バックルを通して引っ張られ、少なくとも１つのチャネルの少なくとも１つのロック用舌部又は爪が、細長いストラップ上に形成される１つ又は複数の列の歯又は横棒に係合する。さらに、第１のストラップ端のロック用バックル内への挿入を増大させると、ループのサイズが低下し、ストラップの歯はロック用バックル内でロックし、ケーブルタイ内の束を表面に固定する。
【０００９】
本発明の装置は、その主要な態様に従って、大まかに述べると、微調整される取り付け可能なケーブルタイ及びその使用方法であって、第１のストラップ端及び第２のストラップ端を有するストラップであって、細長いストラップ上に横方向に形成されるとともに第１のストラップ端から近接して第２のストラップ端まで延在する１つ又は複数の列の歯又は横棒、及び、１つ又は複数の列の歯に隣接して細長いストラップに沿って直線的に位置決めされる複数の穴を有するストラップ、第２のストラップ端に近接して位置決めされるロック用バックルであって、ロック用バックル内に位置決めされる１つ又は複数のチャネル及び１つ又は複数のロック用舌部又は爪を有する、ロック用バックルを含み、第１のストラップ端のロック用ヘッド内への挿入を増大させると、束を固定するための細長いストラップのループのサイズが低下する、微調整される取り付け可能なケーブルタイ及びその使用方法に対する認識されている必要性を満たす。
【００１０】
例示的な実施形態では、微調整される取り付け可能なケーブルタイ及び使用方法は、１つ又は複数の細長い部材を束にし、束にされた部材を物体に固着させるケーブルタイを含み、ケーブルタイは、第１のストラップ端及び第２のストラップ端を有して構成されるストラップであって、ストラップの長さに沿って延びる１つ又は複数の列の横棒を有して構成され、ストラップは貫通する１つ又は複数の長手方向に離間した孔を有して構成され、孔は横棒に近接して位置決めされる、ストラップ、第２のストラップ端に近接して位置決めされるロック用バックルであって、貫通するチャネルを有して構成され、チャネルは、第１のストラップ端の横棒の列のうちの個々に関連する横棒に対面するように内部に並んで位置決めされる１つ又は複数の爪を有して構成される、ロック用バックルを備える。
【００１１】
更なる例示的な実施形態では、１つ又は複数の細長い部材を物体の穴に対して束にする方法が、ケーブルタイを準備するステップであって、ケーブルタイは、第１のストラップ端及び第２のストラップ端を有して構成されるストラップであって、ストラップの長さに沿って延びる１つ又は複数の列の横棒を有して構成され、ストラップは貫通する１つ又は複数の長手方向に離間した孔を有して構成され、孔は横棒に近接して位置決めされる、ストラップ、第２のストラップ端に近接して位置決めされるロック用バックルであって、貫通するチャネルを有して構成され、チャネルは、第１のストラップ端の横棒の列のうちの個々に関連する横棒に対面するように内部に並んで位置決めされる１つ又は複数の爪を有して構成される、ロック用バックルを備える、ケーブルタイを準備するステップ、１つ又は複数の細長い部材の周りを第１のストラップ端で包囲するステップ、第１のストラップ端をロック用バックルのチャネル内に挿入するステップ、第１のストラップ端を、チャネルを通して引っ張るステップ、並びに、ストラップ上に形成される１つ又は複数の列の横棒に、１つ又は複数の爪にわたって歯止めをかけさせ、細長い部材を束で一緒に固定するステップを含む。
【００１２】
したがって、微調整される取り付け可能なケーブルタイ及びその使用方法の特徴は、物体の群又は束の周りに締結するときにストラップ端をヘッドに差し込むアクセス性を制限することなく選択される複数の取り付け穴を有するケーブルタイを提供することが可能であることである。
【００１３】
微調整される取り付け可能なケーブルタイ及びその使用方法の別の特徴は、ストラップを締め付けるために少しずつ増分する調整を提供するように１つ又は複数の列の複数の歯又は横棒が形成される可撓性の長手方向ストラップを提供することが可能であることである。
【００１４】
微調整される取り付け可能なケーブルタイ及びその使用方法のまた別の特徴は、取り付け機構（穴）がヘッドから離れて位置決めされ、これによって、細長いストラップをヘッドに差し込んでストラップをワイヤ又は油圧管の束の周りで締め付けるアクセス性を高めるケーブルタイを提供することが可能であることである。
【００１５】
微調整される取り付け可能なケーブルタイ及びその使用方法のまた別の特徴は、ケーブルタイの製造においてより少ない材料を使用しながらも、ケーブルタイによって束にされる物体の群を吊り下げるか又は締結する手段を提供することが可能であることである。
【００１６】
微調整される取り付け可能なケーブルタイ及びその使用方法のまた別の特徴は、細長いストラップ上に横方向に形成される１つ又は複数の平行な列の複数の歯又は横棒を有するケーブルタイを提供することが可能であることである。
【００１７】
微調整される取り付け可能なケーブルタイ及びその使用方法のまた別の特徴は、穴等の複数の取り付け機構を位置決めするように、可撓性の長手方向ストラップの中央セクションを自由なままにする２列の歯を提供することが可能であることである。
【００１８】
微調整される取り付け可能なケーブルタイ及びその使用方法のまた別の特徴は、１つ又は複数のチャネルを有するロック用バックルを提供し、各チャネルが、可撓性の長手方向ストラップの１つ又は複数の列の歯に対応するようにチャネル内に位置決めされるロック用舌部又は爪を有し、したがって、有限の調整及び更なる結束力を提供することが可能であることである。
【００１９】
微調整される取り付け可能なケーブルタイ及びその使用方法のまた別の特徴は、新規の改良されたケーブルタイを提供することが可能であることである。
【００２０】
微調整される取り付け可能なケーブルタイ及びその使用方法のまた別の特徴は、ケーブルを取り付け面に固定するようにケーブルタイに一体化される複数の取り付け機構を提供することが可能であることである。
【００２１】
微調整される取り付け可能なケーブルタイ及びその使用方法のまた別の特徴は、ワイヤ又はケーブル等の束を縛るケーブルタイを提供することが可能であることである。
【００２２】
微調整される取り付け可能なケーブルタイ及びその使用方法のまた別の特徴は、ケーブルタイを十分に締結するか又は取り付けるための取り扱いの容易さ、及び、ケーブルタイに締められるワイヤの束を提供することが可能であることである。
【００２３】
微調整される取り付け可能なケーブルタイ及びその使用方法のこれら並びに他の特徴は、添付の詳細な図面に照らして読めば、以下の図面の簡単な説明、詳細な説明及び特許請求の範囲から当業者にはより明らかとなるであろう。
【００２４】
本発明の微調整される取り付け可能なケーブルタイ及びその使用方法等は、同様の参照符号が同様の構造を示し、全体的に同様の要素に言及する添付の図面を参照して実施形態の詳細な説明を読むことによってより良く理解されるであろう。
【図面の簡単な説明】
【００２５】
【図１．１】微調整される例示的な取り付け可能なケーブルタイの上面図である。
【図１．２】微調整される例示的な取り付け可能なケーブルタイの斜視図である。
【図２】図１のケーブルタイの側面図である。
【図３】断面線Ｄ−Ｄに沿って示す、図１のケーブルタイの断面図である。
【図４．１】断面線Ｂ−Ｂに沿って示す、図１のケーブルタイの断面図である。
【図４．２】断面線Ｂ−Ｂに沿って示す、図１のケーブルタイの断面図である。
【図４．３】断面線Ｂ−Ｂに沿って示す、図１のケーブルタイの断面図である。
【図５】断面線Ｃ−Ｃに沿って示す、図１のケーブルタイの断面図である。
【図６．１】断面線Ａ−Ａに沿って示す、図１のケーブルタイの断面図である。
【図６．２】断面線Ａ−Ａに沿って示す、図１のケーブルタイの断面図である。
【図７】細長い部材（複数の場合もあり）の延在部に沿って１つ又は複数の細長い部材（複数の場合もあり）を固定するために物体に固着されて示されている、図１のケーブルタイの斜視側面図である。
【図８】細長い部材（複数の場合もあり）の延在部に沿って１つ又は複数の細長い部材（複数の場合もあり）を物体に固着又は固定するステップ又は手順を示す、図１のケーブルタイの斜視側面図である。
【図９】断面線Ａ−Ａに沿って示す、図１の代替的な平行なチャネルの実施形態のケーブルタイの断面図である。
【図１０】図１〜図９のケーブルタイの組み合わせ及び細長い部材の束を物体の穴に固定する方法のフロー図である。
【発明を実施するための形態】
【００２６】
提示される図面は、単に例示目的であることが意図され、したがって、特許請求の範囲に記載される発明に必須とみなされ得る以外は、図示の構成の正確な詳細のいずれか若しくは全てに本開示を限定することは望まれず、又は意図もされないことに留意されたい。
【００２７】
図１．１、図１．２、図２、図３、図４．１、図４．２、図４．３、図５、図６．１、図６．２、図７、図８、図９、図１０に示されているような本開示の例示的な実施形態を説明する上で、分かりやすくするために特定の専門用語が用いられる。しかし、本開示は、そのように選択される特定の専門用語に限定される意図はなく、各特定の要素は、同様の機能を達成するように同様に動作する全ての技術的な均等物を含むことを理解されたい。一方で、特許請求の範囲の実施形態は、多くの異なる形態で具現することができ、本明細書に記載される実施形態に限定されるように解釈されるべきではない。本明細書において記載される例は、非限定的な例であり、他の可能な例のうちの幾つかの例に過ぎない。
【００２８】
ここで、例として限定することなく図１．１及び図１．２を参照すると、ケーブルタイ１０等の例示的な実施形態のタイ又はラップが示されている。好ましくは、ケーブルタイ１０は、ストラップ１４等の細長いベルト、バンド又は細片、及び、ロック用バックル１２等の留め金、クリップ、留め具又は締結具を含む。好ましくは、ストラップ１４は、第１のストラップ端１８及び第２のストラップ端１６を含む。ストラップ１４は好ましくは、第１のストラップ端１８に近接したところから第２のストラップ端１６に近接したところまでストラップ１４上に形成されるか又は位置決めされるとともに、第１の表面１７等の面一の又はより低い中央細片によって隔てられる、横棒２８等の複数の歯、窪み、段、切欠き部、角度が付いたノッチ、凹状の歯、凹凸、隆起したセグメント、角度が付いた立上り部、角度が付いた受け部を有する第１の列２２．１及び第２の列２２．２等の１つ又は複数の列２２を含む。
【００２９】
本明細書では、横棒２８の１つ又は複数の離間した及び／又は平行な列２２が、ストラップ１４の中央、右側又は左側に揃えられる第１の表面１７を、孔２６等の複数の取り付け機構を位置決めするように開口させるか及び／又は利用可能にすることを可能にすることが意図される。本明細書では、横棒２８を、ストラップ１４の全長又は部分的な長さに沿って位置決めすることができることが意図される。本明細書では、横棒２８を、第１の横棒２８．１及び／若しくは第２の横棒２８．２のようにストラップ１４に沿って平行にストラップ上面に形成することができるか、又は、第１の横棒２８．３及び第２の横棒２８．４のように２つ以上の面（ストラップ上面及びストラップ下面）、又はストラップ１４の全ての面に形成することができることが意図される。好ましくは、横棒２８は、横方向に９０度（９０）で位置決めされるか、又は、ストラップ１４の中心軸Ｄに対して鋭角に位置決めすることができる。本明細書では、横棒２８が、ストラップ１４を締め付けるために少しずつ増分する調整を提供するように、ケーブルタイ１０のストラップ１４に、ストラップ１４上に形成される１つ又は複数の列の複数の歯又は横棒２８を提供することが更に意図される。本明細書では、第１のレール２４．１及び第２のレール２４．２等の１つ又は複数のレール２４を、ストラップ１４上に形成するか、又は、横棒２８が位置決めされる、第１のストラップ端１８に近接したところから第２のストラップ端１６に近接したところまでストラップ１４上に位置決めされる上昇したレールとして形成することができるか、又は、ロック用バックル１２を通してストラップ１４を案内する案内レールとして使用することができることが更に意図される。さらに、ストラップ１４は好ましくは、第１の端１８に近接したところから第２のストラップ端１６に近接したところまで、ストラップ１４上の第１の列２２．１及び第２の列２２．２等の歯の１つ又は複数の列に隣接してストラップ１４に沿って長手方向に位置決めされる孔２６等の、複数の離間した穴、オリフィス、取り付け穴又はスリットを含む。本明細書では、孔２６は好ましくは円形であることが意図されるが；本明細書では、ケーブルタイ１０の種々の取着又は吊り下げ機構に対応するように他の構成が意図される。本明細書では、孔２６が、ケーブルタイ１０に、物体の群又は束の周りにストラップ１４を締結するときに第１の端１８をロック用バックル１２に差し込むアクセス性を制限することなく選択するための複数の取り付け穴を提供することが意図される。本明細書では、孔２６が、ケーブルタイ１０に、ロック用バックル１２から或る距離を置いて位置決めされる孔２６等の取り付け機構（穴）を提供し、これによって、ストラップ１４をロック用バックル１２に差し込んでストラップ１４をワイヤ、油圧管等（細長い部材ＥＭ）の束状の部材の周りに締め付けるためのアクセス性を高めることが意図される。さらに、孔２６がロック用バックル１２に近接して位置決めされないため、ロック用バックル１２は好ましくは、ストラップ１４をロック用バックル１２に差し込むための高められたアクセス性を有する。本明細書では、孔２６が好ましくはケーブルタイ１０を固定するために微調整を提供することが更に意図される。
【００３０】
好ましくは、ロック用バックル１２は、第２のストラップ端１６等のストラップ１４の一端に位置決めされ、ストラップ１４の第１のストラップ端１８等の他端はストラップ１４の尾端を形成する。ロック用バックル１２は好ましくは、チャネル１３等の１つ又は複数のスロット、チャネル又は中央通路を内部に含み、チャネル１３は、ストラップ１４を内部に摺動可能に嵌めるか又は案内するように好ましくは構成されるとともに、好ましくはストラップ１４に対して９０度（９０）すなわち概ね垂直に又はストラップ１４に対して概ね平行に、又は、ストラップ１４が屈曲するか若しくは丸まってストラップ１４をロック用バックル１２のチャネル１３に入れることを可能にするように別様に配置される。さらに、チャネル１３は、ストラップ１４をロック用バックル１２内に受け入れてロック用バックル１２を通して案内するように構成されている第１の側壁１５．１及び第２の側壁１５．２及び第３の側壁１５．３等の、直線的な、直角の、角度が付いた又は起伏のある側壁１５を含むように構成することができる。より詳細には、チャネル１３の側壁１５は、第１のレール２４．１及び第２のレール２４．２等の１つ又は複数のレール２４を受け入れて案内するように構成することができる。さらに、第１の側壁１５．１及び第２の側壁１５．２及び第３の側壁１５．３等の対向する側壁１５並びに舌部２７は好ましくは、ストラップ１４をロック用バックル１２内に受け入れてロック用バックル１２を通して案内するようにロック用バックル１２のチャネル１３を形成する。本明細書では、側壁１５．１、側壁１５．２及び側壁１５．３を、ストラップ１４をロック用バックル１２のチャネル１３内に受け入れてチャネル１３を通して案内するように、直線的な、直角の、角度が付いた、丸みを帯びた若しくは起伏のある遷移部、角部又はセグメント等を有して構成することができることが意図される。
【００３１】
好ましくは、チャネル１３は、ストラップ１４が物品の束（細長い部材ＥＭ）の周りに巻回された後でストラップ１４をロック用バックル１２にロックするために、好ましくは横棒２８のうちの関連する横棒２８にわたって係合するか、対面するか又は歯止めをかける、好ましくはロック用バックル１２のチャネル１３に隣接して位置決めされる爪２０等の１つ又は複数のラッチ、レバー、ロック用舌部を更に含む。本明細書では、チャネル１３が好ましくは、ストラップ１４、１つ又は複数の列２２及び／又は１つ又は複数の上昇したレール２４の挿入及び通過に対応するように構成されることが意図される。さらに、ロック用バックル１２は好ましくは、第１の爪２０．１及び第３の爪２０．３並びに／若しくは第２の爪２０．２及び第４の爪２０．４等の対向する爪２０の１つ又は複数のセット、又は、第１の爪２０．１及び第２の爪２０．２並びに／若しくは第３の爪２０．３及び第４の爪２０．４等の並んだ爪２０を含む。好ましくは、第３の爪２０．３及び第４の爪２０．４は、ヒンジ２５等の回動部材又はばね部材によって第２のストラップ端１６又はロック用バックル１２に好ましくは接続される舌部２７のように棒又はレバーに形成される。さらに、ヒンジ２５及び舌部２７は好ましくは、ストラップ１４がロック用バックル１２を通して引っ張られると、第３の爪２０．３及び第４の爪２０．４が横棒２８にわたって歯止めをかけること及び外すことを可能にするように構成されている。好ましくは、第１の爪２０．１及び第２の爪２０．２は、舌部２７に対向する側壁１５．３に形成される。使用時に、ストラップ１４がロック用バックル１２のチャネル１３を通して引っ張られ、各爪がその個々に関連する１つの横棒にわたって歯止めをかけるときに、ロック用バックル１２の第１の爪２０．１は好ましくは、ストラップ１４の第１の列２２．１の第１の横棒２８．１に係合し、第２の爪２０．２は好ましくは、第２の列２２．２の第２の横棒２８．２に係合する。さらに、ストラップ１４がロック用バックル１２のチャネル１３を通して引っ張られるときに、ロック用バックル１２の第３の爪２０．３は、ストラップ１４の第３の列２２．３の第１の横棒２８．３に好ましくは係合し、第４の爪２０．４は、第４の列２２．４の第４の横棒２８．４に好ましくは係合する。
【００３２】
本明細書では、ストラップ１４は相補的な下面を含むことができ、この場合、ストラップ１４は、第３の列２２．３及び第４の列２２．４等の１つ又は複数の列２２、第３の横棒２８．３及び第４の横棒２８．４等の複数の横棒２８、並びに、第３のレール２４．３及び第４のレール２４．４等の１つ又は複数の上昇したレール２４を含むことが意図される。使用時に、チャネル１３は、ロック用バックル１２を通してストラップ１４を案内するために、第３のレール２４．３及び第４のレール２４．４等の１つ又は複数のレール２４を受け入れるように構成されている第１の側壁１５．１及び第２の側壁１５．２を含むように構成することができる。さらに、ストラップ１４がロック用バックル１２のチャネル１３を通して引っ張られるときに、ロック用バックル１２の第３の爪２０．３はストラップ１４の第３の列２２．３の第３の横棒２８．３に好ましくは係合し、第４の爪２０．４は第４の列２２．４の第４の横棒２８．４に好ましくは係合する。本明細書では、ストラップ１４がロック用バックル１２のチャネル１３を通して引っ張られるときに、ケーブルタイ１０の歯止めによる機械的な作用が好ましくは有効にされ、この場合、ストラップ１４の横棒２８は、ロック用バックル１２を通して引かれて爪（複数の場合もあり）２０を横切って引っ張られることが意図される。
【００３３】
本明細書では、ロック用バックル１２及びストラップ１４は、チャネル１３、爪２０、舌部２７、ヒンジ２５、横棒２８、列２２及び／又はレール２４の１つ又は複数のセットを有して構成することができることが意図される。
【００３４】
本明細書では、上記で記載した複数の爪２０及び横棒２８の構成の相補的な相互作用が、ロック用バックル１２とストラップ１４との間でのケーブルタイ１０の保持力を高め、及び／又は、ロック用バックル１２とストラップ１４との間の微調整を可能にすることが更に意図される。
【００３５】
本明細書では、ケーブルタイ１０は好ましくは、一端にロック用バックル１２、およびロック用バックル１２から延びるストラップ１４を有して構成されることが更に意図される。
【００３６】
本明細書では、ストラップ１４及びロック用バックル１２が一体的であるか、又は、１つのユニット若しくは部分として形成されることができるか、又は、別個に形成して使用のために一緒に組み付けることができることがまた更に意図される。
【００３７】
ストラップ１４及びロック用バックル１２は好ましくは、ナイロン、ポリプロピレン、ポリエチレン、ポリスチレン、ポリウレタン、ネオプレン、又は代替的な樹脂若しくは熱可塑性物質、プラスチック、ボール紙、ゴム、繊維、強化繊維、合成ゴム、天然ゴム、木材、金属、アルミニウム、合金、ステンレス鋼、形状記憶金属、又は任意の半可撓性材料等のような好適な材料、並びに、ストラップ１４及びロック用バックル１２の構造を構成若しくは提供することが可能な任意の製造方法から形成、成形又は構成される。好ましくは、材料は、可撓性、強度、剛性、耐久性、耐水性、軽量さ、柔軟性、耐摩耗性、化学的不活性、耐酸化性、安全性、加工し易さ、寿命、又は、当業者が理解する他の有益な特性等の他の好適な特性を含む。
【００３８】
本明細書では、ストラップ１４及びロック用バックル１２、チャネル１３、爪２０、舌部２７、ヒンジ２５、横棒２８、列２２及び／又はレール２４の１つ又は複数のセットを、三角形、矩形又は多角形等の、平坦及び正方形以外の種々の形状に形成することができることが意図される。
【００３９】
ここで、例として限定することなく図２を参照すると、ケーブルタイ１０の例示的な実施形態の側面図が示されている。好ましくは、ストラップ１４は、ロック用バックル１２を通してストラップ１４を案内するように第１のレール２４．１及び第３のレール２４．３等の１つ又は複数のレール２４を含む。好ましくは、横棒２８は、第１の側１４．１、第２の側１４．２、第３の側１４．３及び第４の側１４．４等のストラップ１４の１つ又は複数の側１４．０に形成することができ；この場合、横棒２８．１及び横棒２８．２は第３の側１４．１に位置決めされ；横棒２８．３及び横棒２８．４は第３の側１４．２に位置決めされる。さらに、横棒２８は、三角形若しくは斜面の側面図又は当業者に既知の他の構成を有して構成することができ、例えば横棒２８．１は、爪立上り部２１、より詳細には第１の爪立上り部２１．１等の第１の角度が付いた、傾斜した又は斜めの面を含むことができ、横棒２８．１は、ラッチ、突起又は爪受け２３、より詳細には第１の爪受け２３．１を含むことができる。同様に、横棒２８．３は第１の爪立上り部２１．３及び第１の爪受け２３．３を含むことができる。使用時に、図１に示されているように、ストラップ１４がロック用バックル１２のチャネル１３を通して引っ張られると、ストラップ１４の横棒２８．１は、ロック用バックル１２の第１の爪２０．１に好ましくは係合し、ストラップ１４の横棒２８．３は、ロック用バックル１２の第３の爪２０．３に好ましくは係合する。
【００４０】
図１．１、図１．２及び図２を再び参照すると、好ましくは、ストラップ１４の第１の列２２．１及び第２の列２２．２の第１の横棒２８．１及び第２の横棒２８．２は、ストラップ１４がロック用バックル１２を通して引っ張られると、ロック用バックル１２の第１の爪２０．１及び第２の爪２０．２に好ましくは係合し、ここで、第１の爪２０．１及び第２の爪２０．２は、第１の横棒２８．１及び第２の横棒２８．２にそれぞれ歯止めをかけるか、対面するか、跳ねさせるか、押すか又は持ち上げる。
【００４１】
例えば、ストラップ１４がロック用バックル１２のチャネル１３を通して引っ張られると、ロック用バックル１２の第１の爪２０．１は、第１の横棒２８．１の第１の立上り部２１．１に好ましくは最初に係合し、次に、第１の横棒２８．１の第１の爪受け２３．１にわたって歯止めをかけ、ここで、第１の爪２０．１は第１の爪受け２３．１に対してロックし、ストラップ１４をロック用バックル１２及びロック用バックル１２の第１の爪２０．１内に固定し；これは、横棒２８のそれぞれ及び各爪２０に関して、第１の側１４．１及び第２の側１４．２等のストラップ１４の各縁において以下同様に続く。
【００４２】
同様にストラップ１４の隣接する下面に鏡像状に、好ましくはストラップ１４の第３の列２２．３及び第４の列２２．４の第３の横棒２８．３及び第４の横棒２８．４があり、好ましくは、ストラップ１４がロック用バックル１２を通して引っ張られると、第３の爪２０．３及び第４の爪２０．４に係合し、ここで、第３の爪２０．３及び第４の爪２０．４は、第３の横棒２８．３及び第４の横棒２８．４にそれぞれ歯止めをかけるか、対面するか、跳ねさせるか、押すか又は持ち上げる。
【００４３】
例えば、ストラップ１４がロック用バックル１２のチャネル１３を通して引っ張られると、ロック用バックル１２の第３の爪２０．３は、第１の横棒２８．３の第１の立上り部２１．３に好ましくは最初に係合し、次に、第３の横棒２８．３の第１の爪受け２３．３にわたって歯止めをかけ、ここで、第３の爪２０．３は第１の爪受け２３．３に対してロックし、ストラップ１４をロック用バックル１２及びロック用バックル１２の第３の爪２０．３内に固定し；これは、横棒２８のそれぞれ及び各爪２０に関して、第１の側１４．１及び第２の側１４．２等のストラップ１４の各縁において以下同様に続く。
【００４４】
本明細書では、上記で記載したような機能は、ストラップ１４をロック用バックル１２内に固定するようにストラップ１４の全ての側において構成することができることが意図される。
【００４５】
図２を再び参照すると、第１のストラップ端１８は好ましくは、ストラップ端１８．１、並びに、ストラップ端１８の把持及び引っ張りを容易にするようにストラップ１４の第１の側１４．１に横方向に構成されている１つ又は複数の隆起部２９を含む。本明細書では、１つ又は複数の隆起部２９を、ストラップ１４の第１の側１４．１及び／又は第２の側１４．２の双方又は片方に形成することができることが意図される。好ましくは、隆起部２９は、ユーザが第１のストラップ端１８を人差し指と親指との間で把持することを可能にし、第１のストラップ端１８をロック用バックル１２内に挿入すること、及び、ロック用バックル１２を通して第１のストラップ端１８を引っ張ることを助ける。
【００４６】
例として限定することなく図３を参照すると、ケーブルタイ１０のロック用バックル１２及びストラップ１４の例示的な断面の実施形態が示されている。好ましくは、ロック用バックル１２は、第１の側壁１５．１及び第２の側壁１５．２及び第３の側壁１５．３等の対向する側壁１５並びに舌部２７から形成されるチャネル１３を含む。チャネル１３は好ましくは、第１の開口１３．１等の開口又は入口、及び、第２の開口１３．２等の出口を含み、ストラップ１４がチャネル１３を通って出入りすることを可能にする。さらに、図１に示されている側壁１５．１に適合するような側壁１５．２は、ストラップ１４をロック用バックル１２内に受け入れてロック用バックル１２を通して案内するように構成されている内側壁面１５．２．０を含む。好ましくは、側壁１５．２の内側壁面１５．２．０は、図１に示されているように、内側壁面１５．２．０の直線的な、直角の、角度が付いた、丸みを帯びた若しくは起伏のある遷移部、角部、縁又はセグメントの側面図を表す垂線１５．２．１〜１５．２．９を含む。本明細書では、側壁１５．２の内側壁面１５．２．０、並びに同様に側壁１５．１及び側壁１５．３それぞれの同様の内側壁面１５．１．０及び内側壁面１５．３．０は、ストラップ１４をチャネル１３の第１の開口１３．１内に、またロック用バックル１２のチャネル１３の第２の開口１３．２を通して受け入れ、定位置に通し（ｍｉｒｒｏｒ）、適合させて案内するように、直線的な、直角の、角度が付いた、丸みを帯びた若しくは起伏のある遷移部、角部、縁、セグメント等を有して構成することができることが意図される。本明細書では、側壁１５．２の内側壁面１５．２．０、並びに同様に側壁１５．１及び側壁１５．３それぞれの同様の内側壁面１５．１．０及び１５．３．０は、ストラップ１４の第２の側１４．２、第１の側１４．１及び第３の側１４．３等のストラップ１４の１つ又は複数の側をそれぞれ定位置に通すか又は適合させるように構成することができることが更に意図される。
【００４７】
好ましくは、ロック用バックル１２は、支持体３２等の、ストラップ１４のロック用バックル１２と第２のストラップ端１６との間の遷移支持体を更に含む。支持体３２は好ましくは、ストラップ１４がロック用バックル１２を通して引っ張られるときに、ストラップ１４のロック用バックル１２と第２のストラップ端１６との間の曲げ又は屈曲を低減し、ストラップ１４のロック用バックル１２及び第２のストラップ端１６を、それらの間の一定の位置若しくは角度で維持し、及び／又は、ロック用バックル１２を安定させるように構成されている。
【００４８】
さらに、ロック用バックル１２は好ましくは、第２のストラップ端１６、チャネル１３の第１の開口１３．１に近接して、爪２０．２に対向して、舌部２７と第２のストラップ端１６との間、又は側壁１５．１若しくは側壁１５．２に近接して位置決めされるヒンジ２５を含み、又は、ヒンジ２５はロック用バックル１２のチャネル１３内のどこにあってもよい。さらに、ヒンジ２５は好ましくは、舌部２７の径方向移動Ｒ等の、ヒンジ移動、ばねによる捩れ、回転の自由度又は歯止めの移動を提供する。舌部２７のそのような径方向移動Ｒは好ましくは、ストラップ１４がロック用バックル１２を通して引っ張られるときに、爪２０がストラップ１４の横棒２８にわたって歯止めをかけることを可能にする。
【００４９】
例として限定することなく図４．１、図４．２、図４．３を参照すると、ケーブルタイ１０のストラップ１４の例示的な断面の実施形態が示されている。好ましくは、ストラップ１４は、第１の側１４．１、第２の側１４．２、第３の側１４．３及び第４の側１４．４を含む。さらに、ストラップ１４は、ロック用バックル１２を通してストラップ１４を案内し、嵌合させ、定位置に通し、及び／又は摺動可能に通すとともに、第１の横棒２８．１、第２の横棒２８．２、第３の横棒２８．３及び第４の横棒２８．４等の、１つの側又は２つ以上の側に形成される１つ又は複数の横棒２８を保護するように好ましくは使用される、第１のレール２４．１、第２のレール２４．２、第３のレール２４．３及び第４のレール２４．４等の１つ又は複数のレール２４を含む。さらに、１つ又は複数の横棒２８は好ましくは、ストラップ１４上の１つ又は複数のレール２４に隣接して位置決めされる。
【００５０】
例として限定することなく図４．１を参照すると、ケーブルタイ１０のストラップ１４の例示的な断面の実施形態が示されている。好ましくは、孔２６は、１つ又は複数の横棒２８及び／又は１つ又は複数のレール２４間に概ね中心を合わせられる孔２６のように、ストラップ１４に沿う中心線ＣＬに近接して位置決めされる。
【００５１】
例として限定することなく図４．２を参照すると、ケーブルタイ１０のストラップ１４の例示的な断面の実施形態が示されている。好ましくは、孔２６Ａ及び孔２６Ｂ等の１つ又は複数の孔２６が、孔２６Ａ及び孔２６Ｂ間の仕切り４２等の中心スペーサ又は棒を有して、１つ又は複数の横棒２８及び／又は１つ又は複数のレール２４に近接して位置決めされる。
【００５２】
例として限定することなく図４．３を参照すると、ケーブルタイ１０のストラップ１４の例示的な断面の実施形態が示されている。好ましくは、孔２６は、一方の側に位置決めされるか、又は、ストラップ１４に沿って中心線ＣＬから一方の側にオフセットされ、１つ又は複数の横棒２８及び／又は１つ又は複数のレール２４は、他方の側に位置決めされるか、又は、中心線ＣＬから他方の側にオフセットされる。
【００５３】
本明細書では、ストラップ１４、並びに、ストラップ１４の１つ又は複数の孔２６、１つ又は複数の横棒２８、及び／又は１つ又は複数のレール２４の位置決めの他の可能な構成がここに含まれることが意図される。
【００５４】
例として限定することなく図５を参照すると、ケーブルタイ１０のストラップ１４の例示的な断面の実施形態が示されている。好ましくは、ストラップ１４は、ロック用バックル１２を通してストラップ１４を案内するとともに、第２の横棒２８．２及び第４の横棒２８．４等の、ストラップ１４の１つの側又は２つ以上の側に形成される１つ又は複数の横棒２８を保護するように好ましくは使用される、第２のレール２４．２及び第４のレール２４．４等の１つ又は複数のレール２４を含む。さらに、第２の横棒２８．２等の１つ又は複数の横棒２８は、第２の横棒２８．２の第２の立上り部２１．２及び第２の横棒２８．２の第２の爪受け２３．２を含み、第４の横棒２８．４は、第４の横棒２８．４の第４の立上り部２１．４及び第４の横棒２８．４の第４の爪受け２３．４を含む。例として限定することなく図３及び図５を再び参照すると、立上り部２１及び爪受け２３は、ロック用バックル１２の爪２０とともに動作するように構成されている。例えば、各横棒２８及び爪２０に関して、ロック用バックル１２の爪２０は、横棒２８の立上り部２１に好ましくは最初に係合し、次に、横棒２８の爪受け２３にわたって歯止めをかけ、ここで、爪２０は爪受け２３に対してロックし、ストラップ１４をロック用バックル１２内に固定する。爪２０は好ましくは、爪２０が爪受け２３に対してロックしてストラップ１４をロック用バックル１２内に固定するときに、ロック用バックル１２を通して引っ張られるストラップ１４が取り出されることを防止する。
【００５５】
本明細書では、ロック用バックル１２、チャネル１３、爪２０、ストラップ１４、２列以上の横棒２８、２つ以上の孔２６の他の係合又は固定の形態がここに含まれることが意図される。さらに、ケーブルタイ１０は本明細書では、爪２０をストラップ１４上に形成される横棒２８から離脱させることを可能にし、ストラップ１４及び第１のストラップ端１８がロック用バックル１２から緩むか又は取り出されることを可能にするように構成されている、ロック用バックル１２に設けられる従来の解放機構（図示せず）も有することができる。さらに、本明細書におけるケーブルタイは、ケーブルタイのロック用バックル１２内又はロック用バックル１２上に配置されるウォーム歯車機構（図示せず）に係合する、ストラップに配置される複数の段も有することができる。代替的には、本明細書におけるケーブルタイは、ロック用バックル１２に形成されるテーパ状のスロット又は爪に係合する、ストラップに沿って一体的に形成される複数のビーズを有するストラップを有することができる。明らかなように、本明細書におけるケーブルタイの概念は、あらゆるタイプのケーブルタイとともに使用可能である。
【００５６】
例として限定することなく図６．１を参照すると、ケーブルタイ１０のロック用バックル１２及びストラップ１４の例示的な断面の実施形態が示されている。好ましくは、ロック用バックル１２は、第２のストラップ端１６に対して垂直に近接して位置決めされるとともに、第２の側壁１５．２、第３の側壁１５．３等の対向する側壁１５及び舌部２７から形成されるチャネル１３を含む。さらに、ロック用バックル１２は好ましくは、第２のストラップ端１６、舌部２７と第２のストラップ端１６との間若しくは側壁面１５．２．０に近接して位置決めされるヒンジ２５を含み、又は、ヒンジ２５はロック用バックル１２のチャネル１３内のどこにあってもよい。さらに、ヒンジ２５は好ましくは、舌部２７の径方向移動Ｒ等の、ヒンジ移動、ばねによる捩れ、回転の自由度又は歯止めの移動を提供する。舌部２７のそのような径方向移動Ｒは好ましくは、ストラップ１４がロック用バックル１２を通して引っ張られるときに、爪２０をストラップ１４の横棒２８にわたって係合させて歯止めをかけることを可能にする。
【００５７】
好ましくは、ストラップ１４は、ロック用バックル１２を通してストラップ１４を案内するとともに、第２の横棒２８．２及び第４の横棒２８．４等の、ストラップ１４の１つの側又は２つ以上の側に形成される１つ又は複数の横棒２８を保護するように好ましくは使用される、第２のレール２４．２及び第４のレール２４．４等の１つ又は複数のレール２４を含む。さらに、第２の横棒２８．２等の１つ又は複数の横棒２８は、第２の横棒２８．２の第２の立上り部２１．２及び第２の横棒２８．２の第２の爪受け２３．２を含み、第４の横棒２８．４は、第４の横棒２８．４の第４の立上り部２１．４及び第４の横棒２８．４の第４の爪受け２３．４を含む。
【００５８】
例として限定することなく図６．２を参照すると、ストラップ１４がロック用バックル１２のチャネル１３内に挿入された状態の、ケーブルタイ１０のロック用バックル１２及びストラップ１４の例示的な断面の実施形態が示されている。ストラップ１４が方向Ｄにロック用バックル１２のチャネル１３を通して引っ張られると（図６．１を参照のこと）、ロック用バックル１２の第２の爪２０．２は、第２の横棒２８．２の第２の立上り部２１．２に好ましくは最初に係合し、次に、第２の横棒２８．２の第２の爪受け２３．２にわたって歯止めをかけ、ここで、第２の爪２０．２は第２の爪受け２３．２に対してロックし、ストラップ１４をロック用バックル１２内に固定し、ロック用バックル１２の第４の爪２０．４は、第４の横棒２８．４の第４の爪立上り部２１．４に好ましくは最初に係合し、次に、第４の爪２０．４の第４の爪受け２３．４にわたって歯止めをかけ、ここで、第４の爪２０．４は、第４の爪受け２３．４に対してロックし（「歯止め作用」）、ストラップ１４が方向Ｄに引っ張られるにつれて、ストラップ１４の横棒２８の各対に関して同様に続き、同様の歯止め作用が、ストラップ１４がロック用バックル１２のチャネル１３を通して引っ張られるにつれてストラップ１４の各縁又は側において生じることができる。
【００５９】
さらに、舌部２７は、舌部２７の一端に位置決めされるとともに解放機構として構成されているレバー２７．１を有することができ、舌部２７並びに第３の爪２０．３及び第４の爪２０．４がヒンジ２５を中心に横棒２８から離れて外れるように回動することを可能にし、ストラップ１４又は第１のストラップ端１８を、ロック用バックル１２を通して引き戻すことを可能にする。使用時に、レバー２７．１は好ましくは、ロック用バックル１２の上に延び、ケーブルタイ１０のユーザが指又は指の爪をレバー２７．１にかけることを可能にし、舌部２７並びに第３の爪２０．３及び第４の爪２０．４を、ヒンジ２５を中心に横棒２８から離れて外れるように解放又は回動させ、ストラップ１４又は第１のストラップ端１８を、ロック用バックル１２を通して引き戻すことを可能にする。本明細書では、当業者に既知の、レバー２７．１等の他の解放機構を使用してストラップ１４をロック用バックル１２から解放することができることが意図される。
【００６０】
さらに、ロック用バックル１２は好ましくは、第１の爪２０．１及び第３の爪２０．３並びに／若しくは第２の爪２０．２及び第４の爪２０．４等の対向する爪２０の１つ又は複数のセット、又は、第１の爪２０．１及び第２の爪２０．２並びに／若しくは第３の爪２０．３及び第４の爪２０．４等の並んだ爪２０を含む。好ましくは、第３の爪２０．３及び第４の爪２０．４は、ヒンジ２５等の回動部材又はばね部材によって第２のストラップ端１６又はロック用バックル１２に好ましくは接続される舌部２７等の棒又はレバーに形成される。さらに、ヒンジ２５及び舌部２７は好ましくは、ストラップ１４がロック用バックル１２を通して引っ張られると、第３の爪２０．３及び第４の爪２０．４が、横棒２８にわたって歯止めをかけること及び外すことを可能にするように構成されている。
【００６１】
例として限定することなく図７を参照すると、使用時に１つ又は複数の細長い部材（複数の場合もあり）ＥＭを細長い部材（複数の場合もあり）の延在部に沿って固定するように物体Ｏに固着されて示されているケーブルタイ１０の例示的な実施形態が示されている。好ましくは、ストラップ１４の第１のストラップ端１８は好ましくは、細長い部材（複数の場合もあり）ＥＭ等の１つ又は複数のケーブル、ロープ、チャネル、ホース、ワイヤ又は任意の他の直線的な器具等を囲み、包囲し、締め、周りを包み、又は束にするために使用される。さらに、ストラップ１４は好ましくは、ロック用バックル１２に挿入され、ロック用バックル１２のチャネル１３を通して引っ張られ、この場合、ロック用バックル１２の爪２０は、ストラップ１４上に形成される横棒２８に係合し、細長い部材（複数の場合もあり）ＥＭを束で一緒に固定し、細長い部材（複数の場合もあり）ＥＭを物体Ｏに固着させる。ストラップ１４の１つ又は複数の孔２６は、物体Ｏの穴Ｈに近接して位置合わせすることができ、さらに、取着機構Ｓ等のねじ、釘又はリベットを物体Ｏに固着させることができるか、又はより詳細には、取着機構Ｓは、物体Ｏの穴Ｈ内で取着機構Ｓを駆動又は回転させることによって固定され、１つ又は複数の細長い部材（複数の場合もあり）ＥＭを物体Ｏに固定することができる。
【００６２】
本明細書では、２つ以上のケーブルタイ１０をこの場合に使用することができ、例えば、第１のケーブルタイ１０を使用して細長い部材（複数の場合もあり）ＥＭの１つのセクションを固定することができ、第２のケーブルタイ１０を使用して細長い部材（複数の場合もあり）ＥＭの第２のセクションを固定し、細長い部材（複数の場合もあり）ＥＭの延在部又は長さを支持することができることが意図される。
【００６３】
例として限定することなく図８を参照すると、１つ又は複数の細長い部材（複数の場合もあり）ＥＭを、１つ又は複数の細長い部材（複数の場合もあり）ＥＭの延在部に沿って物体Ｏに固着若しくは固定するステップ又は手順を示すケーブルタイ１０の例示的な実施形態が示されている。好ましくは、１つ又は複数の細長い部材（複数の場合もあり）ＥＭは、ケーブルタイ１０によって固定するか又は束にすることができる。ストラップ１４の１つ又は複数の孔２６は、物体Ｏの穴Ｈに近接して位置合わせすることができ、さらに、取着機構Ｓ等のねじ、釘又はリベットを物体Ｏに固着させることができるか、又はより詳細には、取着機構Ｓは、物体Ｏの穴Ｈ内で取着機構Ｓを駆動又は回転させることによって固定され、１つ又は複数の細長い部材（複数の場合もあり）ＥＭを物体Ｏに固定することができる。
【００６４】
例として限定することなく図９を参照すると、ケーブルタイ１０の代替的なロック用バックル１２．１及びストラップ１４の例示的な断面の実施形態が示されている。好ましくは、ロック用バックル１２．１は、第２のストラップ端１６と直列又は平行に近接して位置決めされるとともに、第１の側壁１５．１、第２の側壁１５．２、第３の側壁１５．３等の対向する側壁１５及び舌部２７から形成されるチャネル１３を含む。さらに、ロック用バックル１２．１は好ましくは、第２のストラップ端１６、舌部２７と第２のストラップ端１６との間若しくは側壁面１５．１に近接して位置決めされるヒンジ２５を含み、又は、ヒンジ２５はロック用バックル１２．１のチャネル１３内のどこにあってもよい。さらに、ヒンジ２５は好ましくは、舌部２７の径方向移動Ｒ等の、ヒンジ移動、ばねによる捩れ、回転の自由度又は歯止めの移動を提供する。舌部２７のそのような径方向移動Ｒは好ましくは、ストラップ１４がロック用バックル１２．１のチャネル１３を通して引っ張られるときに、爪２０を横棒２８、詳細にはストラップ１４の横棒２８．２及び横棒２８．４にわたって係合させて歯止めをかける機能を可能にする。代替的なロック用バックル１２．１を使用して、図８に示されているように、１つ又は複数の細長い部材（複数の場合もあり）ＥＭを、１つ又は複数の細長い部材（複数の場合もあり）ＥＭの延在部に沿って物体Ｏに固着又は固定することができる。代替的なロック用バックル１２．１は好ましくは、図８に示されているように１つ又は複数の細長い部材（複数の場合もあり）ＥＭを物体Ｏに固着又は固定するときに、第２のストラップ端１６と代替的なロック用バックル１２．１との間の回転力ＲＦ、より詳細には第２のストラップ端１６と代替的なロック用バックル１２．１との間の回転力ＲＦを低減するように使用される。回転力ＲＦは、１つ又は複数の細長い部材（複数の場合もあり）ＥＭの重量が増すにつれて増大する。
【００６５】
本明細書では、ストラップ１４を、穴Ｈに固着された後でロック用バックル１２／１２．１と面一にトリミングすることができることが意図される。
【００６６】
ここで図１０を参照すると、１つ又は複数の細長い部材（複数の場合もあり）ＥＭを物体Ｏに固定する方法、及び／又は、ケーブルタイ１０を物体Ｏの穴Ｈに固定する方法のフロー図１０００が示されている。ブロック又はステップ１０１０において、図１〜図９において上述したようなケーブルタイ１０を準備する。ブロック又はステップ１０２０において、ストラップ１４の第１のストラップ端１８を好ましくは用いて、細長い部材（複数の場合もあり）ＥＭ等の１つ又は複数のケーブル、ロープ、チャネル、ホース、ワイヤ又は任意の他の直線的な器具等を囲み、包囲し、締め、周りを包み、又は束にする。さらに、ストラップ１４を好ましくはロック用バックル１２に挿入し、ロック用バックル１２のチャネル１３を通して引っ張り、この場合、ロック用バックル１２の爪２０は、図７に示されているように、ストラップ１４上に形成される横棒２８に係合し、細長い部材（複数の場合もあり）ＥＭを束で一緒に固定する。
【００６７】
ブロック又はステップ１０３０において、ストラップ１４の１つ又は複数の孔２６を、物体Ｏの穴Ｈに近接して位置合わせすることができる。ブロック又はステップ１０４０において、少なくとも１つの取着機構Ｓ等のねじ、釘又はリベットを、ストラップ１４の１つ又は複数の孔２６を通して挿入して物体Ｏの少なくとも１つの穴Ｈに固着させることができるか、又はより詳細には、図８に示されているように、取着機構Ｓを、物体Ｏの穴Ｈ内で取着機構Ｓを駆動又は回転させることによって固定し、ケーブルタイ１０のストラップ１４及び１つ又は複数の細長い部材（複数の場合もあり）ＥＭを物体Ｏに固定することができる。ブロック又はステップ１０５０において、２つ以上のケーブルタイ１０を使用して、１つ又は複数の細長い部材（複数の場合もあり）ＥＭの延在部を物体Ｏに固定することができ、例えば、第１のケーブルタイ１０を使用して細長い部材（複数の場合もあり）ＥＭの１つのセクションを固定することができ、１つ又は複数の他のケーブルタイ１０を使用して細長い部材（複数の場合もあり）ＥＭの１つ又は複数の他のセクションを固定し、細長い部材（複数の場合もあり）ＥＭの延在部又は長さを支持することができる。
【００６８】
上記の説明及び図面は例示的な実施形態を含む。例示的な実施形態をこのように説明したが、当業者は、本明細書における開示は例示的なものに過ぎないこと、並びに、種々の他の代替、適合及び変更を本開示の範囲内で行うことができることに留意されたい。特定の順序における方法のステップの単なる列挙又は番号付けは、その方法のステップの順番に対するいかなる限定も構成しない。上記の説明及び関連する図面において提示される教示の利点を有する多くの変更形態及び他の実施形態が、本開示が属する分野の当業者には想起されるであろう。本明細書では特定の用語が用いられ得るが、それらの用語は包括的な説明の意味でのみ用いられ、限定する目的はない。さらに、本開示を詳細に説明したが；添付の特許請求の範囲によって規定されるような本開示の主旨及び範囲から逸脱することなく、種々の変更、置換及び代替を行うことができることを理解されたい。したがって、本開示は本明細書において示される特定の実施形態に限定されず、以下の特許請求の範囲のみによって限定される。
【図１．１】
2015532245.tif 000003
【図１．２】
2015532245.tif 000004
【図２】
2015532245.tif 000005
【図３】
2015532245.tif 000006
【図４．１】
2015532245.tif 000007
【図４．２】
2015532245.tif 000008
【図４．３】
2015532245.tif 000009
【図５】
2015532245.tif 000010
【図６．１】
2015532245.tif 000011
【図６．２】
2015532245.tif 000012
【図７】
2015532245.tif 000013
【図８】
2015532245.tif 000014
【図９】
2015532245.tif 000015
【図１０】
2015532245.tif 000016
【国際調査報告】
2015532245.tif 000017